(57)【要約】【課題】基地局装置、その限定利用設定方法及び移動通信システムに関し、私設の基地局の利用を特定ユーザの携帯端末に限定する設定と該基地局を制御する上位の制御ノードの設定とを効率よく行う。【解決手段】  限定利用対象の携帯端末の識別情報をフェムトセル基地局１−３内に登録し、フェムトセル基地は登録された携帯端末に対して位置登録を実施する。この登録の際に、携帯端末１−１が直前に在圏した通信エリア１−９の無線基地局１−７から受け取った報知情報を、ＲＦＩＤタグリーダー１−２により携帯端末の識別情報と共にフェムト基地局が読み出し、無線基地局１−７の識別情報を含む制御ノード解決要求メッセージをアクセスノード１−５に送信する。アクセスノードは上位の制御ノード１−６のアドレスを決定してフェムトセル基地局に通知し、フェムトセル基地局は通知された制御ノードにアクセスして初期プロシージャを実行する。【選択図】図１
2010062711.tif 000002
【特許請求の範囲】
【請求項１】
携帯端末が直前に在圏していた通信エリアの無線基地局から受信した該無線基地局の識別情報を、前記携帯端末から受信する受信手段と、
受信した前記無線基地局の識別情報に基づいて、該無線基地局の上位の制御ノードについての接続先情報を取得する取得手段と、
前記制御ノードの前記接続先情報を用いて前記制御ノードにアクセスするアクセス手段と、
を備えたことを特徴とする基地局装置。
【請求項２】
前記取得手段は、前記無線基地局の識別情報を含む制御ノード解決要求メッセージを、ＩＰ網を通してアクセスノードに送信し、該アクセスノードから通知される制御ノードのアドレス又はアクセスコードを受信することで、該制御ノードの接続先情報を取得することを特徴とする請求項１に記載の基地局装置。
【請求項３】
前記受信手段は、前記携帯端末が備えるＲＦＩＤタグから前記無線基地局の識別情報を読み取ることで、該無線基地局の識別情報を受信するタグリーダーを備えたことを特徴とする請求項１に記載の基地局装置。
【請求項４】
前記携帯端末が圏外に移動し、又は該携帯端末の電源が切断されたことを検知すると、タイマーを起動し、該タイマーによる監視期間内に前記携帯端末から位置登録の要求が検出されない場合に、該携帯端末を該基地局装置の利用を許容する対象の端末リストから削除することを特徴とする請求項１に記載の基地局装置。
【請求項５】
携帯端末が直前に在圏していた通信エリアの無線基地局から受信した該無線基地局の識別情報を前記携帯端末から受信し、
受信した前記無線基地局の識別情報に基づいて、該無線基地局の上位の制御ノードについての接続先情報を取得し、
前記制御ノードの接続先情報を用いて前記制御ノードにアクセスする
ことを特徴とする基地局装置における制御ノード特定方法。
【発明の詳細な説明】
【技術分野】
【０００１】
本発明は、基地局装置、制御ノード特定方法に関する。
【背景技術】
【０００２】
近年、移動通信システムの無線ゾーンに対してカバーする通信エリアが狭いフェムトセル基地局（超小型の基地局設備）が存在する。フェムトセル基地局の設置は、一般的に電波の不感地帯をカバーするために行われるが、フェムトセル基地局は、設置したユーザのみならず、一般ユーザの携帯端末に対する公衆接続を許容する。フェムトセル基地局は、小型でカバーする通信エリアが狭い分、通信のためのリソースをそれ程多く実装しない場合もある。
【０００３】
無線基地局の例として、例えば下記の文献等によって知られている。
【特許文献１】特開２００５−１０９５７０号公報
【特許文献２】特開平８−１８６８７８号公報
【特許文献３】特開平３−１０７２１８号公報
【特許文献４】特開２００６−３１９７９５号公報
【発明の開示】
【発明が解決しようとする課題】
【０００４】
しかし、フェムトセル基地局のように、新規に基地局を設置しても、基地局が接続すべき先の上位の制御ノード（例えば、無線基地局制御局（ＲＮＣ）等に相当する）を特定可能な技術が存在しない。
【０００５】
基地局を設置したときに、基地局が移動通信システムとして機能するよう、基地局を制御する上位の制御ノードを決定し、その上位の制御ノードにアクセスする場合に、例えば東京都内に設置した基地局の制御ノードとして北海道の制御ノード等が決定されると、制御ノード間に跨るハンドオーバーが多発することになり、制御ノード間のネットワーク負荷を上昇させる原因となる。
そこで、別の側面では、基地局を制御する上位の制御ノードを適正に特定可能とすることを目的とする。
【課題を解決するための手段】
【０００６】
第１の案では、携帯端末が直前に在圏していた通信エリアの無線基地局から受信した該無線基地局の識別情報を前記携帯端末から受信する受信部と、受信した前記無線基地局の識別情報に基づいて、該無線基地局の接続先情報を取得する取得部と、前記制御ノードの接続先情報を用いて前記制御ノードにアクセスするアクセス部と、を備えたことを特徴とする基地局装置を用いる。
【発明の効果】
【０００７】
本願で開示される新規な技術によれば、基地局を制御する上位の制御ノードを適正に特定することができる。
【発明を実施するための最良の形態】
【０００８】
以下、本発明に係る実施例について詳細に説明する。
図１は、本実施例に係る基地局装置を含む移動通信システムの構成例を示す。以下の実施形態において、基地局装置としてフェムトセル基地局を例に説明する。図１に示す構成例において、１−１はＲＦＩＤ（Radio Frequency IDentification)タグを備えた携帯端末、１−２はタグリーダー、１−３はフェムトセル基地局、１−４はＩＰ網、１−５は携帯電話事業者のデフォルトアクセスノード、１−６は無線基地局制御局（ＲＮＣ：Radio Network Controller）、１−７は一般ユーザの携帯端末に対して無線による公衆接続を提供する無線基地局である。なお、フェムトセル基地局は、無線通信サービスを提供する携帯端末を制限してもよい。
【０００９】
フェムトセル基地局１−３は、例えばユーザのオフィス又は自宅内等に設置され、フェムトセル１−８の通信エリア（無線ゾーン）をカバーする。無線基地局１−７はマクロセル１−９の通信エリア（無線ゾーン）をカバーする。マクロセル１−９は、フェムトセル１−８に隣接するセルである。
【００１０】
フェムトセル基地局１−３はタグリーダー１−２を具備する。タグリーダー１−２は、携帯端末１−１に備えられたＲＦＩＤタグ等の非接触媒体の接近を感知し、該非接触媒体を介して、携帯端末１−１内に記憶されたデータを読み取り、該データをフェムトセル基地局１−３に出力する。
【００１１】
なお、以下の構成例では、フェムトセル基地局１−３が携帯端末１−１内の記憶データを読み取る通信手段として、携帯端末１−１に組み込まれたＲＦＩＤタグとタグリーダー１−２とを用いる例について説明するが、フェムトセル基地局１−３が携帯端末１−１からデータを読み取る通信手段はこれに限らず、有線ケーブルを用いる通信手段、赤外線送受信を行う通信手段、その他の直接（中継装置を介さない）かつ近接距離で通信を行う同様の手段を用いることができる。
【００１２】
携帯端末１−１は、タグリーダー１−２に翳されたとき、唯一性を有する自端末の識別情報を、ＲＦＩＤタグ等の非接触媒体を介してタグリーダー１−２に出力するとともに、自端末が直前まで在圏していたセル、例えばマクロセル１−９を管轄する無線基地局１−７、又はその上位の制御ノードである無線基地局制御局１−６の識別情報を、該ＲＦＩＤタグ等の非接触媒体を介して、タグリーダー１−２に出力する。
【００１３】
フェムトセル基地局１−３は、最初に電源が投入され、ＬＡＮケーブル等により一般のインターネット回線を通してＩＰ網１−４に接続された後は、ＲＦＩＤタグが組み込まれた携帯端末１−１がタグリーダー１−２に翳され、携帯端末１−１の記憶データがタグリーダー１−２によって読み出されるのを待機し、それまでは移動通信の基地局としての運用を開始しない。例えば、無線送信機能、無線受信機能、無線通信処理機能を停止させたりする例が挙げられる。なお、タグリーダー１−２による携帯端末１−１からの情報を受信する機能については、動作させておくことが好ましい。
【００１４】
＜限定利用対象携帯端末の初期登録＞
フェムトセル基地局１−３は、携帯端末１−１からタグリーダー１−２を通して最初にデータを読み出すと、携帯端末１−１から読み込んだ直前の在圏エリアの無線基地局１−７の識別情報を元に、その接続先の制御ノードである無線基地局制御局１−６を特定し、移動通信の基地局としての運用を開始するため、制御ノード（無線基地局制御局１−６）にアクセスする準備を行う。
【００１５】
フェムトセル基地局１−３の上位の制御ノード（無線基地局制御局１−６）を特定する手法の一例について説明する。フェムトセル基地局１−３は、タグリーダー１−２を通して取得した携帯端末１−１からの読み出し情報（無線基地局１−７の識別情報）を元に、以下のように上位の制御ノードを特定する。なお、フェムトセル基地局１−３を制御する最適な上位の制御ノードを決定するために、携帯電話事業者網側にデフォルトアクセスノード１−５を設置することもできる。
【００１６】
フェムトセル基地局１−３は、携帯端末１−１が直前の在圏エリアで受け取った報知情報を、タグリーダー１−２を経由して取得し、該報知情報に含まれる無線基地局１−７の識別情報を含む制御ノード解決要求メッセージを、ＩＰ網１−４を介してデフォルトアクセスノード１−５に送信する。
【００１７】
デフォルトアクセスノード１−５のＩＰアドレス又はノード名（ドメイン名相当）は、フェムトセル基地局１−３に出荷時等に予め格納しておくか、或いはフェムトセル基地局１−３の購入後にユーザが手動で設定する構成とすることができる。ドメイン名が格納されている場合は、ＩＰ網に接続されたＤＮＳ（Domain Name System）サーバー経由で、デフォルトアクセスノード１−５のＩＰアドレスを取得することができる。
【００１８】
デフォルトアクセスノード１−５は、フェムトセル基地局１−３から送信された報知情報に基づく無線基地局の識別情報から、地理的に又は負荷的に最適な上位の制御ノードを決定する。その上位の制御ノードの接続先情報としての識別情報（ＩＰアドレス又はアクセスコード等）をフェムトセル基地局１−３に返信する。
【００１９】
フェムトセル基地局１−３は、デフォルトアクセスノード１−５から受信した上位の制御ノードの接続先情報（例えば、ＩＰアドレス又はアクセスコードに）アクセスを行って、移動通信システムの基地局としての機能するための初期プロシージャを実行して初期化を行い、フェムトセル基地局としての運用を開始する。例えば、フェムト基地局として動作する際に必要な設定情報を上位の制御ノードから取得し、また、その後、フェムトセル１−８内の携帯端末に対して、無線通信サービスを提供する際に、当該制御ノードの制御に基づいた無線通信制御を行う。
【００２０】
また、フェムトセル基地局１−３は、上記報知情報と同時にＲＦＩＤタグから読み込んだ携帯端末１−１の識別情報（電話番号等）について、フェムトセル基地局１−３の限定利用の対象とする否かを問い合わせる文言を、タグリーダー１−２の近辺のディスプレイ上に表示する。
【００２１】
上記の問い合わせの文言に対して、ユーザがＹＥＳボタン等の操作により限定利用の対象とする操作を行うと、フェムトセル基地局１−３は、該携帯端末に対して限定利用を有効化する動作を開始する。一方、Ｎｏボタン等の操作により限定利用を行わない操作を行うと、フェムトセル基地局１−３は携帯端末からのアクセス待ち状態に遷移する。
【００２２】
なお、限定利用の設定時に、継続的に当該携帯端末を限定利用の対象とするのか、それとも一時的な限定利用の対象とするのかをユーザに問い合わせ、一時的な限定利用の対象とする設定をユーザが選択した場合は、後述のタイマー監視によりタイマー値完了時に、限定利用の対象から当該携帯端末を解除する構成とすることができる。
【００２３】
＜限定利用対象携帯端末の追加＞
フェムトセル基地局１−３は、既に１つの携帯端末を限定利用可能な対象として登録している状態で、他の携帯端末がフェムトセル基地局１−３のタグリーダー１−２に翳され、ＲＦＩＤタグを通して該携帯端末内の記憶データを読み取ったとき、該携帯端末の識別情報を限定利用可能な対象として追加登録するかどうかの問い合わせ文言をディスプレイ上に表示する。
【００２４】
そして、ユーザがＹＥＳボタン等の操作により追加登録の操作を行うと、限定利用対象の携帯端末としてその識別情報を追加登録し、Ｎｏボタン等が操作されたときは、該携帯端末の識別情報を限定利用対象として追加登録しない。
【００２５】
＜限定利用対象の解除＞
限定利用対象の携帯端末を解除する手法の例として、ユーザの操作による解除、又はタイマー監視による自動的な解除の機能を具備する構成とすることができる。ユーザの操作による解除は、限定利用対象の登録が行われている携帯端末が、再度、タグリーダー１−２に翳されたとき、ディスプレイ上に当該携帯端末を限定利用対象から削除することの諾否を問い合わせる文言を表示し、Ｙｅｓ等のボタンが操作されれば、該携帯端末の識別情報を限定利用対象から削除する。
【００２６】
タイマー監視による解除の場合は、限定利用対象の携帯端末が、圏外への移動又は電源切断等により、フェムトセル基地局１−３の制御管轄から外れた時点から経過時間をタイマーにより監視し、該経過時間が予め設定されたタイマー値に達したときに、該携帯端末を限定利用対象から削除する。このタイマー値は、フェムト基地局１−３の設置者が、ヒューマン・マシン・インタフェースにより設定／変更する構成とすることができる。
【００２７】
＜フェムトセル基地局の隣接セル情報の取得＞
携帯端末１−１がフェムトセル１−８からマクロセル１−９へ移動したときのハンドオーバー処理をサポートする際に、フェムトセル基地局１−３が隣接セルの情報を取得しておくと都合がよい。ＲＦＩＤタグを経て携帯端末１−１から報知情報を取得し、既述のとおり、該報知情報を元にデフォルトアクセスノード１−５にて、直前に在圏したマクロセル１−９の無線基地局１−７を特定し、上位の制御ノード（無線基地局制御局）１−６を決定する。
【００２８】
この制御ノードの決定の過程において、デフォルトアクセスノード１−５は、報知情報を元にフェムトセル基地局１−３の隣接セル情報を抽出し、該隣接セル情報をフェムトセル基地局１−３に通知する。フェムトセル基地局１−３は、通知された隣接セル情報を記憶する。
【実施例】
【００２９】
以下、図２〜図６を参照して基地局装置を利用した実施例について説明する。
（１）限定利用対象の携帯端末の登録について（図２参照）
フェムトセル基地局に電源が投入され、フェムトセル基地局がＬＡＮケーブル等により一般のインターネット回線を介してＩＰ網に接続されているが、移動通信の基地局としての運用を行っておらず、携帯端末がタグリーダーに翳されるのを待機している状態を初期状態と称する。
【００３０】
携帯端末（ＵＥ−１）がタグリーダーに翳されると、フェムトセル基地局は、携帯端末（ＵＥ−１）内のＲＦＩＤタグを感知し、携帯端末（ＵＥ−１）内に記憶されているデータをＲＦＩＤタグを通して読み込み（ステップ２−１）、携帯端末内に保持されている報知情報を記憶する（ステップ２−２）。
【００３１】
次に、タグリーダー近辺に設置されたディスプレイに、携帯端末（ＵＥ−１）を限定利用の対象とするか否かを示す文言を表示し（ステップ２−３）、ユーザにＹＥＳ／ＮＯを選択させる（ステップ２−４）。ユーザがＮＯを選択した場合は、初期状態に戻る。ユーザがＹＥＳを選択した場合は、次のステップとして、デフォルトアクセスノードのアドレス解決を行う。
【００３２】
デフォルトアクセスノードのアドレス解決は、携帯電話事業者毎に予め定められたドメイン名を使用し、ＤＮＳ（Domain Name System）サーバー等の携帯電話事業者サーバーに、デフォルトアクセスノードのアドレス解決要求メッセージを送信し（ステップ２−５）、携帯電話事業者サーバーからデフォルトアクセスノードのアドレス解決応答メッセージを受け取り、デフォルトアクセスノードのアドレスを取得する（ステップ２−６）。
【００３３】
或いはユーザの手動設定により携帯電話事業者サーバーのアドレスをフェムトセル基地局に設定し、フェムトセル基地局が携帯電話事業者サーバーにアクセスし、デフォルトアクセスノードのアドレスを取得する構成とすることができる。フェムトセル基地局は、取得したデフォルトアクセスノードのアドレスを記憶する（ステップ２−７）。
【００３４】
フェムトセル基地局は、携帯端末（ＵＥ−１）内から読み出した報知情報を含む制御ノード解決要求メッセージを、デフォルトアクセスノードに送信し、上位制御ノードのアドレスの取得を要求する（ステップ２−８）。デフォルトアクセスノードは、報知情報によって特定されるマクロ無線基地局のセル情報を元に、フェムトセル基地局の隣接セル情報及び上位制御ノードのＩＰアドレス又はアクセスコードを決定し（ステップ２−８）、それらをフェムトセル基地局に、制御ノード解決応答メッセージとして返信する（ステップ２−９）。
【００３５】
図６にデフォルトアクセスノードにおける無線基地局と上位制御ノードとの関連テーブルの構成例を示す。同図に示すように、各無線基地局識別情報と対応付けて上位制御ノード識別情報、上位制御ノードＩＰアドレス又は上位制御ノードアクセスコードを格納しておき、デフォルトアクセスノードは、報知情報から抽出された無線基地局識別情報に対応した上位制御ノードＩＰアドレス又は上位制御ノードアクセスコードを読み出す。なお、フェムトセルは、各無線基地局識別情報と対応付けて上位制御ノードの接続先情報（ＩＰアドレス又アクセスコード等）を格納しておくことで、デフォルトアクセスノードにアクセスせずに、無線基地局識別情報から上位制御ノードの接続先情報を取得することもできる。
【００３６】
フェムトセル基地局は、デフォルトアクセスノードから受信した制御ノードのＩＰアドレス又はアクセスコードを保存し（図２のステップ２−１０）、同様に隣接セル情報を保存する（ステップ２−１１）。フェムトセル基地局は、移動通信システムの基地局として機能するよう、初期化処理を上位制御ノードとの間で実施する（ステップ２−１２）。
【００３７】
携帯端末（ＵＥ−１）は、３ＧＰＰ（Third Generation Partnership Project）勧告ＴＳ  ３６．３００により、ＩＭＳＩ（International Mobile Subscriber Identity）又はＧＵＴＩ（Global Unique Temporary Identity）の何れかの端末識別情報を保持している。
【００３８】
そこで、タグリーダーによって読み込んだデータの中にＩＭＳＩが含まれているか否かを調べ（ステップ２−１３）、ＧＵＴＩが含まれている場合は、限定利用対象携帯端末リストに該携帯端末（ＵＥ−１）の電話番号（識別子）とＧＵＴＩとをセットにして登録する（ステップ２−１４）。
【００３９】
ＩＭＳＩが含まれている場合は、限定利用対象携帯端末リストに該携帯端末（ＵＥ−１）の電話番号（識別子）とＩＭＳＩとをセットにして登録する（ステップ２−１５）。そして、フェムトセル基地局は、限定利用対象の携帯端末（ＵＥ−１）だけが利用可能な「占有状態」に遷移する（ステップ２−１６）。
【００４０】
（２）位置登録（Ａｔｔａｃｈ）について（図３参照）
フェムトセル基地局は、占有状態のときに携帯端末（ＵＥ−１）から位置登録要求（Ａｔｔａｃｈ  Ｒｅｑｕｅｓｔ）メッセージを受信すると（ステップ３−１）、そのメッセージに含まれるＩＭＳＩ又はＧＵＴＩの端末識別情報を検索キーとして、限定利用対象携帯端末リストを検索するステップ（３−２）。
【００４１】
限定利用対象携帯端末リスト内に合致する端末識別情報が有れば、位置登録（Ａｔｔａｃｈ）プロシージャを実施しステップ（３−３）、合致する端末識別情報が無ければ、位置登録要求（Ａｔｔａｃｈ  Ｒｅｑｕｅｓｔ）メッセージを破棄する（ステップ３−４）。
【００４２】
（３）限定利用対象の携帯端末の追加について（図３参照）
既に限定利用対象として登録されている携帯端末（ＵＥ−１）と異なる携帯端末（ＵＥ−２）がタグリーダーに翳されると、フェムトセル基地局は、タグリーダーでＲＦＩＤタグを感知し、携帯端末（ＵＥ−２）内の記憶データを読み込む（ステップ３−５）。
【００４３】
そして、タグリーダーで読み取った端末識別情報が、限定利用対象リスト内に登録されているか否かをチェックする（ステップ３−６）。該端末識別情報が登録済の携帯端末（ＵＥ−１）のものであれば、後述する非限定利用化処理（図４）へ移行し（ステップ３−７）、未登録のものであれば、読み込んだデータ内にＩＭＳＩ又はＧＵＴＩの何れの端末識別情報が含まれているかをチェックする（ステップ３−８）。
【００４４】
ＧＵＴＩの端末識別情報が含まれている場合は、限定利用対象携帯端末リストに携帯端末（ＵＥ−２）の電話番号（識別子）とＧＵＴＩとをセットにして登録し（ステップ３−９）、ＩＭＳＩの端末識別情報が含まれている場合は、限定利用対象携帯端末リストに携帯端末（ＵＥ−２）の電話番号（識別子）とＩＭＳＩとをセットにして登録する（ステップ３−１０）。
【００４５】
その後、フェムトセル基地局は、携帯端末（ＵＥ−２）から位置登録要求（Ａｔｔａｃｈ  Ｒｅｑｕｅｓｔ）メッセージを受信すると（ステップ３−１１）、該メッセージに含まれるＩＭＳＩ又はＧＵＴＩの端末識別情報を検索キーにして、限定利用対象携帯端末リストを検索する（ステップ３−１２）。
【００４６】
該限定利用対象携帯端末リスト内に合致する端末識別情報が有れば、位置登録（Ａｔｔａｃｈ）プロシージャを実施し（ステップ３−１３）、合致する端末識別情報が無ければ、該位置登録要求（Ａｔｔａｃｈ  Ｒｅｑｕｅｓｔ）メッセージを破棄する（ステップ３−１４）。
【００４７】
（４）非限定利用対象化処理（ユーザ操作による場合）について（図４参照）
ユーザが携帯端末（ＵＥ−１）をタグリーダーに翳すと、フェムトセル基地局は、ＲＦＩＤタグを介して携帯端末（ＵＥ−１）内に記憶されているデータを読み込み、読み込んだ端末識別情報が限定利用対象リストに登録されているものか否かをチェックする（ステップ４−１）。
【００４８】
読み込んだ端末識別情報が限定利用対象リストに未登録のものであれば、限定利用対象の携帯端末の追加の処理シーケンス（図３）を実施する（ステップ４−２）。該端末識別情報が限定利用対象リストに登録済みのものであれば、以下に述べる非限定利用化処理へ移行する。
【００４９】
まず、ディスプレイに携帯端末（ＵＥ−１）を限定利用対象から除外することの諾否を問う文言を表示し（ステップ４−３）、ユーザに確認させる（ステップ４−４）。該表示に対してユーザがＮＯボタン等により取り消しの操作を行った場合は、携帯端末を翳す前の状態に戻る。
【００５０】
ユーザがＹＥＳボタン等により承諾の操作を行った場合、限定利用対象携帯端末リストから当該携帯端末（ＵＥ−１）の端末識別情報を削除し（ステップ４−５）、フェムトセル基地局内で留保した当該携帯端末（ＵＥ−１）用のリソースを解放する（ステップ４−６）。
【００５１】
次に、限定利用対象携帯端末リストに他の携帯端末の識別情報が登録されているか否かをチェックする（ステップ４−７）。登録されていれば占有状態を継続する。登録されていなければ、上位制御ノードにフェムトセル基地局の機能停止（ＤＥＡＣＴ）を通知するメッセージを送信し（ステップ４−８）、初期状態に遷移する（ステップ４−９）。他の携帯端末（ＵＥ−２）がタグリーダーに翳されたときも、上記ステップ４−１〜４−９と同様の処理を行い（ステップ４−１０〜４−１８）、占有状態を継続する（ステップ４−１９）。
【００５２】
（５）非限定利用対象化処理（タイマーによる自動処理）について（図５参照）
限定利用対象として登録されている携帯端末（ＵＥ−１）が、フェムトセルの圏外へ移動し又はその電源が切断され、フェムトセル基地局の制御管轄から外れた場合、フェムトセル基地局は、位置登録の解除又はハンドオーバーのプロシージャ等を実施し（ステップ５−１）、かつ、該携帯端末（ＵＥ−１）に対するタイマーを起動する（ステップ５−２）。
【００５３】
この実施例では、タイマー値はフェムトセル基地局に予め設定されている限定利用タイマー値を使用するものとする。なお、このタイマー値はユーザが任意に設定可能な構成とすることができる。タイマーによる計時がタイマー値に達すると、限定利用対象携帯端末リストから携帯端末（ＵＥ−１）の端末識別情報を削除する（ステップ５−３）。
【００５４】
また、フェムトセル基地局内の携帯端末（ＵＥ−１）用のリソースを解放する（ステップ５−４）。なお、タイマーの計時がタイマー値に達する前に、該携帯端末（ＵＥ−１）からフェムトセル基地局に位置登録（Ａｔｔａｃｈ）の要求が有った場合は、タイマーの動作を停止させ、携帯端末（ＵＥ−１）の限定利用対象としての登録を継続する。
【００５５】
フェムトセル基地局は、携帯端末（ＵＥ−１）のデータを削除した後に、限定利用対象携帯端末リストに他の携帯端末の識別情報がなお登録されているか否かをチェックする（ステップ５−５）。限定利用対象携帯端末リストに登録済みの携帯端末識別情報がなお存在する場合は、占有状態を継続する（ステップ５−６）。限定利用対象携帯端末リストに登録された携帯端末識別情報が存在しない場合は、上位制御ノードにフェムトセル基地局の機能停止（ＤＥＡＣＴ）を通知するメッセージを送信し（ステップ５−７）、初期状態に遷移する（ステップ５−８）。
【００５６】
以上の実施例において、ユーザは自身で購入した基地局に対して自身の携帯端末を限定利用対象として登録し、ユーザ自身の携帯電話を限定的に該基地局で利用可能とすることができると共に、該登録と同時に、基地局の制御を司る上位の制御ノードとの間での初期処理を実施することが可能となる。
【００５７】
また、ユーザは購入したフェムトセル基地局に対して限定利用対象の携帯端末の登録の設定と、制御を司る上位制御ノードの特定とを、フェムトセルに付随するタグリーダー等の簡易な手段を用いて簡単に行うことが可能となる。
【００５８】
また、ユーザは限定利用の対象として登録した携帯端末をユーザ自身の操作によって限定利用の対象から外すことができる。また、ユーザが限定利用対象として一時的に登録した携帯端末を限定利用対象から外すことを失念しても、タイマー監視により自動的に該携帯端末を限定利用対象から外すことができる。
【００５９】
また、私的利用や業務利用を目的に設置した私設のフェムトセル基地局（一般ユーザの公衆接続も許容する）で、該フェムトセル基地局を設置した特定ユーザの携帯端末を限定的に接続するためのリソースを確保する制御が可能となる。また、フェムトセル基地局が占有状態の場合は、他の一般携帯端末の位置登録要求（Ａｔｔａｃｈ Ｒｅｑｕｅｓｔ）を破棄するため、余計な信号が一般ＩＰ網(フェムトセル基地局→携帯電話事業者網間)に流れることを防ぐことができる。
【００６０】
また、フェムトセル基地局主導の制御であるため、携帯電話事業者側は、該フェムトセル基地局に対して特別なセル属性(占有セルなど)を局データとして設定して管理する必要がない。また、フェムトセル基地局からマクロセル基地局へのハンドオーバー処理を実施する際に、フェムトセル基地局内で必要となる隣接セル情報をフェムトセル基地局で簡易に取得することが可能となる。
【図面の簡単な説明】
【００６１】
【図１】基地局装置の限定利用設定のシステム構成例を示す図である。
【図２】限定利用対象の携帯端末の登録のフローを示す図である。
【図３】位置登録及び限定利用対象の携帯端末の追加のフローを示す図である。
【図４】非限定利用対象化処理（ユーザ操作による場合）のフローを示す図である。
【図５】非限定利用対象化処理（タイマーによる自動処理）のフローを示す図である。
【図６】無線基地局と上位制御ノードとの関連テーブルの構成例を示す図である。
【符号の説明】
【００６２】
１−１  ＲＦＩＤタグを備えた携帯端末
１−２  タグリーダー
１−３  フェムトセル基地局
１−４  ＩＰ網
１−５  携帯電話事業者のデフォルトアクセスノード
１−６  無線基地局制御局（ＲＮＣ：Radio Network Controller）
１−７  公衆接続を提供する無線基地局
１−８  フェムトセル
１−９  マクロセル
【図１】
2010062711.tif 000003
【図２】
2010062711.tif 000004
【図３】
2010062711.tif 000005
【図４】
2010062711.tif 000006
【図５】
2010062711.tif 000007
【図６】
2010062711.tif 000008